(57)【要約】【課題】冷凍コンテナ等、監視対象機器の状況を常時連続監視し、かつ集中管理することの可能なシステムを提供する。【解決手段】複数機種の冷凍コンテナ１の運転制御部２のシリアルインターフェースと接続される信号変換器３と、この信号変換器３を１乃至複数接続可能であってその出力信号から各冷凍コンテナ１の運転状態を個別に識別する接続処理装置４と、１乃至複数の接続処理装置４とコンテナ側無線ＬＡＮ装置５及び監視側無線ＬＡＮ装置１０１を介して送受信可能なデータ収集サーバ１００及び監視パソコン１０２を備え、信号変換器３が、運転制御部２との短距離伝送用信号と、接続処理装置４側との長距離伝送用信号とを相互に変換するものであり、接続処理装置４が、各冷凍コンテナ１の機種により異なる通信方法を選択して信号変換器３からの監視データを取り込むと共に、この監視データを所定の形式に変換して送信するものである。【選択図】  図１
2004297461.tif 000002
【特許請求の範囲】
【請求項１】
１乃至複数の複数機種の監視対象機器における運転制御部に接続可能な接続処理手段と、１乃至複数の接続処理手段と通信手段を介して送受信可能な集中監視手段とを備え、前記接続処理手段が、各監視対象機器の機種により異なる通信方法を選択して監視データを取り込むと共に、この監視データを所定の形式に変換して送信することを特徴とする運転監視システム。
【請求項２】
監視対象機器の運転制御部と接続処理手段が信号変換手段を介して接続され、この信号変換手段は、前記運転制御部側との短距離伝送用信号と、前記接続処理手段側との長距離伝送用信号とを相互に変換するものであることを特徴とする請求項１に記載の運転監視システム。
【請求項３】
接続処理手段が、信号変換手段側と集中監視手段側との間で信号を絶縁分離するアイソレーション手段を備えることを特徴とする請求項１又は２に記載の運転監視システム。
【請求項４】
信号変換手段が、監視対象機器側と接続処理手段側との間で信号を絶縁分離するアイソレーション手段を備えることを特徴とする請求項２又は３に記載の運転監視システム。
【請求項５】
集中監視手段が、接続処理手段からの出力データを、通信網を介して収集するデータ収集サーバと、このデータ収集サーバに接続された監視装置とからなり、監視対象機器の運転状態に異常が検出された場合に、その異常検出データを、所定の通信端末装置へ送信することを特徴とする請求項１〜４のいずれかに記載の運転監視システム。
【請求項６】
監視対象機器が冷凍コンテナであり、集中監視手段が、冷凍コンテナの装置情報、運転情報、異常情報、通信異常のアラーム等の受信により集中監視するものであることを特徴とする請求項１〜５のいずれかに記載の運転監視システム。
【発明の詳細な説明】
【０００１】
【発明の属する技術分野】
本発明は、例えば冷凍コンテナ等、監視対象機器の状態を常時監視するための運転監視システムに関し、特に複数機種の機器の運転状態を監視可能とした技術に関する。
【０００２】
【従来の技術】
船舶等による積荷の輸送において、積荷が食肉、農産物あるいは水産物等のような生鮮食料品である場合、その腐敗や鮮度低下を防止するために、冷凍コンテナが用いられる。このような冷凍コンテナは、庫内を冷却する冷凍装置が一体的に設けられており、庫内温度を検出する温度センサからの検出信号に基づいて、庫内温度が予め設定された一定の低温状態を保つように、冷凍装置の運転が制御される。また、冷凍装置の冷媒回路における蒸発器に霜が発生すると、冷却効果が損なわれるので、適時に霜取り装置が作動して、霜を融解させるようになっている。
【０００３】
生鮮食料品等を収納した冷凍コンテナは、積出し港では船待ちのため、また積下ろし港では陸上輸送便待ち等のために、港内のコンテナヤードで、比較的長い期間保管される場合があり、したがって、コンテナヤード等での保管中においても、冷凍コンテナ内は所定の温度に維持しておかなければならない。そして、コンテナヤードには、多数の冷凍コンテナが保管されることから、監視員が一定時間毎に巡回して一台一台のコンテナの運転状況を点検するのは、大変な労力を要し、しかもこのような巡回方法では、異常の発生をリアルタイムで発見することが困難であるため、従来、例えば下記の特許文献１に記載のような遠隔監視システムが提案されている。
【０００４】
特許文献１
特開平７−５０８８２
【０００５】
【発明が解決しようとする課題】
特許文献１のような冷凍コンテナの集中監視を実現するには、各冷凍コンテナに、電力線送受信手段（モデム）が実装されている必要があり、言い換えれば、モデムが実装された冷凍コンテナしか監視できない。特に、旧い冷凍コンテナではモデムの実装率が低く、比較的新しい冷凍コンテナでも、実装されていないものが少なくない。したがって、特許文献１のようなシステムを導入しても、十分な省力化の効果が得られなかった。また、冷凍コンテナに内蔵された制御装置のシリアルインターフェースは、通信方法がメーカーによって異なるため、この点も、集中監視の実現を困難にしていた。
【０００６】
本発明は、上記のような問題に鑑みてなされたもので、その技術的課題とするところは、冷凍コンテナ等、監視対象機器の運転状況を遠隔監視して省力化を図るのに有効なシステムを提供することにある。
【０００７】
【課題を解決するための手段】
上述した技術的課題を有効に解決するための手段として、請求項１の発明に係る運転監視システムは、１乃至複数の複数機種の監視対象機器における運転制御部に接続可能な接続処理手段と、１乃至複数の接続処理手段と通信手段を介して送受信可能な集中監視手段とを備え、前記接続処理手段が、各監視対象機器の機種により異なる通信方法を選択して監視データを取り込むと共に、この監視データを所定の形式に変換して送信するものである。
【０００８】
請求項２の発明に係る運転監視システムは、請求項１に記載された構成において、監視対象機器の運転制御部と接続処理手段が信号変換手段を介して接続され、この信号変換手段は、前記運転制御部側との短距離伝送用信号と、前記接続処理手段側との長距離伝送用信号とを相互に変換するものである。
【０００９】
請求項３の発明に係る運転監視システムは、請求項１又は２に記載された構成において、接続処理手段が、信号変換手段側と集中監視手段側との間で信号を絶縁分離するアイソレーション手段を備えるものである。
【００１０】
請求項４の発明に係る運転監視システムは、請求項２又は３に記載された構成において、信号変換手段が、監視対象機器側と接続処理手段側との間で信号を絶縁分離するアイソレーション手段を備えるものである。
【００１１】
請求項５の発明に係る運転監視システムは、請求項１〜４のいずれかに記載された構成において、集中監視手段が、接続処理手段からの出力データを、通信網を介して収集するデータ収集サーバと、このデータ収集サーバに接続された監視装置とからなり、監視対象機器の運転状態に異常が検出された場合に、その異常検出データを、所定の通信端末装置へ送信するものである。
【００１２】
請求項６の発明に係る運転監視システムは、請求項１〜５のいずれかに記載された構成において、監視対象機器が冷凍コンテナであり、集中監視手段が、冷凍コンテナの装置情報、運転情報、異常情報、通信異常のアラーム等の受信により集中監視するものである。
【００１３】
【発明の実施の形態】
以下、本発明に係る運転監視システムを、冷凍コンテナの監視に適用した好ましい実施の形態を、図面を参照しながら説明する。図１は、本形態による運転監視システムの構成を概略的に示す説明図である。
【００１４】
図１における参照符号１（１ｎ＋１，１ｎ＋２，１ｎ＋３，…）は各地の港湾に存在するコンテナヤードに保管された冷凍コンテナで、請求項１に記載された監視対象機器に相当するものである。各冷凍コンテナ１は、冷凍装置及び霜取り装置（不図示）が内蔵されており、各コンテナヤードに設けられた電源に接続されることにより運転される。
【００１５】
各冷凍コンテナ１の庫内温度は温度センサによって常時検出され、冷凍装置や霜取り装置の駆動は、予め設定された温度になるように、前記温度センサからの検出値に基づいて、運転制御部２（２ｎ＋１，２ｎ＋２，２ｎ＋３，…）により制御されている。これらの状態は、不図示のシリアルインターフェースにおいてＲＳ−２３２Ｃのシリアル信号に変換され、コネクタを介して外部と通信可能となっている。
【００１６】
参照符号３（３ｎ＋１，３ｎ＋２，３ｎ＋３，…）は冷凍コンテナ１（１ｎ＋１，１ｎ＋２，１ｎ＋３，…）の運転制御部２（２ｎ＋１，２ｎ＋２，２ｎ＋３，…）に接続される信号変換器、４は、１乃至複数の信号変換器３を接続可能な接続処理装置、５はコンテナ側無線ＬＡＮ装置である。信号変換器３は、請求項１に記載された信号変換手段に相当し、接続処理装置４は、請求項１に記載された接続処理手段に相当し、コンテナ側無線ＬＡＮ装置５は、請求項１に記載された通信手段に相当するものである。接続処理装置４は、図１には一個しか示されていないが、コンテナ側無線ＬＡＮ装置５には複数の接続処理装置４を接続することができ、更に、接続処理装置４には、それぞれ信号変換器３を介して複数の冷凍コンテナ１（運転制御部２）を接続することができ、言い換えれば複数チャネルの監視データを取り込むことができる。
【００１７】
参照符号１００はデータ収集サーバで、請求項１に記載された集中監視手段に相当するものである。このデータ収集サーバ１００には、監視側無線ＬＡＮ装置１０１と、監視パソコン１０２と、コンテナヤードの全コンテナ情報及び搬入・搬出情報等を不図示のホストから蓄積するための中継パソコン１０３が接続されている。監視側無線ＬＡＮ装置１０１は、請求項１に記載された通信手段に相当し、監視パソコン１０２は、請求項４に記載された監視装置に相当するもので、この監視パソコン１０２には、プリンタ１０４等が接続される。
【００１８】
更に、データ収集サーバ１００は、ルータ１０５を介してインターネットＮに接続されている。インターネットＮは、請求項４に記載された通信網に相当するものであり、冷凍コンテナの管理担当者は、所持している携帯電話機１０６等の通信端末装置によって、インターネットＮを介してデータ収集サーバ１００と交信することができるようになっている。
【００１９】
信号変換器３は、冷凍コンテナ１の運転制御部２からシリアルインターフェースを介して出力されたＲＳ−２３２Ｃ形態の信号を、ＲＳ−４２２形態のシリアル信号に変換して出力するものである。
【００２０】
図２は、この信号変換器３の概略構造を示す回路図で、すなわち、コンテナ側に接続されるＲＳ−２３２Ｃ入出力端子３１と、接続処理装置４側に接続されるＲＳ−４２２入出力端子３２との間で信号を絶縁分離（アイソレーション）するためのフォトカプラ３３と、コンテナ側入出力端子３１とフォトカプラ３３の間で信号変換を行うＲＳ−２３２Ｃドライバ・レシーバ３４と、接続処理装置４側入出力端子３２とフォトカプラ３３の間で信号変換を行うＲＳ−４２２ドライバ・レシーバ３５と、後述する図５のＤＣ−ＤＣコンバータ４２ｂ１から電源ケーブル７を介して電源端子３６に入力された電力の電圧降下を所定電圧に補償する電圧補償回路３７と、その供給電力をＲＳ−４２２ドライバ・レシーバ３５側とＲＳ−２３２Ｃドライバ・レシーバ３４側とで電源分離するＤＣ−ＤＣコンバータ３８と、冷凍コンテナ１との接続を検出するための抵抗３９とを備える。フォトカプラ３３及びＤＣ−ＤＣコンバータ３８は、請求項２に記載されたアイソレーション手段に相当するものである。
【００２１】
なお、冷凍コンテナ１（運転制御部２）のコネクタ形状やコネクタピンの配置は、メーカーや機種によって異なるため、冷凍コンテナ１と信号変換器３のＲＳ−２３２Ｃ入出力端子３１との間を接続する信号ケーブルは、冷凍コンテナ１のメーカーや機種によるコネクタ形状やコネクタピンの配置に適合したものを選択して使用される。
【００２２】
図３は、接続処理装置４の概略構造を示すブロック図である。この図３に示されるように、接続処理装置４は、メインボード４１と、複数のチャネルボード４２と、バスボード４３と、表示パネル４４と、電源回路４５を備える。メインボード４１と各チャネルボード４２に実装されたデバイスは、バスボード４３に設けられた多数のバスライン４３ａを介して接続されている。
【００２３】
メインボード４１は、メインＣＰＵ４１ａと、ＲＡＭ４１ｂと、ＦＥＰＲＯＭ４１ｃと、ＦＰＧＡ４１ｄと、外部と通信するためのイーサネット（登録商標）（Ｅｔｈｅｒｎｅｔ（登録商標）；富士ゼロックス登録商標）インターフェース４１ｅ及びイーサネット（登録商標）コネクタ４１ｆと、モード切換スイッチ４１ｇを備える。
【００２４】
各チャネルボード４２は、先の図２に示される信号変換器３のＲＳ−４２２入出力端子３２にそれぞれ信号ケーブル６を介して接続可能な複数チャネル（例えば６チャネル）の入出力端子４２ａと、図５で詳述する電源分離機能付きＲＳ−４２２ドライバ・レシーバ４２ｂ１〜４２ｂ６と、ＦＰＧＡ４２ｃと、このＦＰＧＡ４２ｃに接続されたチャネルＣＰＵ４２ｄ及びＲＡＭ４２ｅを備える。そして、メインＣＰＵ４１ａから、各チャネルボード４２のＦＰＧＡ４２ｃ内部に構成されたデュアルポートＲＡＭ（不図示）にアクセスすることで、チャネルＣＰＵ４２ｄとデータの交信が行われる。
【００２５】
なお、本形態においては、接続処理装置４は三枚のチャネルボード４２（４２１〜４２３）を有するが、バスボード４３のサイズによって、それ以上（例えば九枚程度まで）のチャネルボードを増設することもできる。ここでは、チャネルボード４２１は、ＣＨ１〜ＣＨ６の６チャネル分の通信処理を行うことができ、チャネルボード４２２は、ＣＨ７〜ＣＨ１２の６チャネル分の通信処理を行うことができ、チャネルボード４２３は、ＣＨ１３〜ＣＨ１８の６チャネル分の通信処理を行うことができ、すなわち、合計１８チャネル分の通信処理を行うことができる。
【００２６】
モード切換スイッチ４１ｇは、接続処理装置４の処理モードを、通常監視モードと、初期設定モードと、サービスモードのいずれかに選択するものである。そして、通常監視モードが選択された場合は、入出力端子４２ａに接続された信号変換器３を介して入力される各冷凍コンテナの装置情報や、駆動・停止信号、適温信号等に基づいて、通常の監視が行われる。
【００２７】
また、モード切換スイッチ４１ｇによって初期設定モードが選択された場合は、ＩＰアドレス、ネットマスク、ゲートウェイアドレスや、接続処理装置４の固有識別のためのＩＤ（以下、装置ＩＤという）を設定することができる。装置ＩＤは、図１に示されるコンテナ側無線ＬＡＮ装置５及び監視側無線ＬＡＮ装置１０１を介してデータ収集サーバ１００へ通知する際に使用される名前であり、８桁の文字列からなるコードで設定（変更）することができる。なお、これらの初期設定は、当該接続処理装置４とパソコンとの接続状態のみで行う。
【００２８】
また、モード切換スイッチ４１ｇによってサービスモードが選択された場合は、監視データの送信先ＩＰアドレス（第一指定ＩＰアドレス及び第二指定ＩＰアドレス）と、十進数のｈｔｔｐ独自ポート番号を、任意のパソコンから、Ｗｅｂブラウザを介して設定することができる。なお、モード切換スイッチ４１ｇによる通常監視モードへの切り換えは、これら送信先ＩＰアドレス及びポート番号の設定後に行う必要がある。
【００２９】
各チャネルボード４２のＦＰＧＡ４２ｃには、チャネルＣＨ１〜ＣＨ６，ＣＨ７〜ＣＨ１２，ＣＨ１３〜ＣＨ１８毎のシリアル通信回路が構成されている。図４は、このシリアル通信回路を示すブロック図である。
【００３０】
図４に示されるように、チャネルボード４２のＦＰＧＡ４２ｃに内蔵された各チャネルのシリアル通信回路は、シリアル送信用のパラレル／シリアル変換回路４２１と、調歩同期／同期信号抽出回路４２２と、シリアル受信用のシリアル／パラレル変換回路４２３と、データ受信バッファ４２４と、ボーレート（通信速度）パルス生成回路４２５と、ハイレベル信号／最低パルス幅抽出回路４２６と、ローレベル信号／最低パルス幅抽出回路４２７とを備える。パラレル／シリアル変換回路４２１は、チャネルＣＰＵ４２ｄがセットしたバイトデータを、ボーレートパルス生成回路４２５からのクロックパルスにより、スタート、ストップ、パリティの各ビットを付加した調歩同期のシリアル信号にして送信ＴＸするものであり、調歩同期／同期信号抽出回路４２２は、受信ＲＸした調歩同期信号から、シリアルデータのサンプルタイミングを復調するものであり、シリアル／パラレル変換回路４２３は、調歩同期／同期信号抽出回路４２２からのサンプルタイミングにあわせて、シリアルデータをサンプルし、スタート、ストップ、パリティの各ビットを除くバイトデータを抽出するものであり、データ受信バッファ４２４は、チャネルＣＰＵ４２ｄが受信データを取り出すまでの間、受信したバイトデータを蓄積するバッファで、１パケット分以上を蓄積することができる。
【００３１】
すなわち、チャネルボード４２のＦＰＧＡ４２ｃは、上述の回路構造により、各チャネルにおける冷凍コンテナ１との接続を検出する機能と、信号変換器３を介して入力される信号のパルス幅を検出することによって、メーカーや機種毎に異なる冷凍コンテナ１（運転制御部２）の運転状態信号のボーレートを割り出し、これに対応する通信プロトコルで通信すると共に、メインボード４１のイーサネット（登録商標）インターフェース４１ｅを介して、共通の形式で上位と通信可能とするものである。そして、各チャネルボード４２（４２１〜４２３）は、その内部でチャネルＣＨ１〜ＣＨ６，ＣＨ７〜ＣＨ１２，ＣＨ１３〜ＣＨ１８，…毎の通信処理を行うので、メインボード４１におけるメインＣＰＵ４１ａは、イーサネット（登録商標）インターフェース４１ｅを介して上位から要求される任意のタイミングで、全てのチャネルの監視データを取得することができる。
【００３２】
図５は、図３のチャネルボード４２におけるＲＳ−４２２ドライバ・レシーバ４２ｂ１〜４２ｂ６の内部を示す回路図で、この図５に示されるように、電源分離機能付きＲＳ−４２２ドライバ・レシーバ４２ｂはＤＣ−ＤＣコンバータ４２ｂ１及びＲＳ−４２２ドライバ・レシーバ４２ｂ２を内蔵しており、ＲＳ−４２２ドライバ・レシーバ４２ｂ２は、フォトカプラ４２ｂ３によって絶縁分離されて、図４におけるＴＸ及びＲＸに接続される。ＤＣ−ＤＣコンバータ４２ｂ１は、チャネルボード４２の電力を絶縁分離してＲＳ−４２２ドライバ・レシーバ４２ｂ２へ供給するものである。また、この電力は、電源端子４２ａ１から、電源ケーブル７を介して、先の図２に示される信号変換器３の電源端子３６にも供給される。４２ｂ４は、信号変換器３との接続を検出するための抵抗である。なお、フォトカプラ４２ｂ３及びＤＣ−ＤＣコンバータ４２ｂ１は、請求項３に記載されたアイソレーション手段に相当するものである。
【００３３】
先に説明したように、冷凍コンテナ１の運転制御部２から出力されるＲＳ−２３２Ｃの信号は、信号変換器３において長距離伝送用のＲＳ−４２２の差動信号に変換されるので、図２に示される各信号変換器３のＲＳ−４２２入出力端子３２と、図５に示される接続処理装置４のチャネルボード４２における入出力端子４２ａ（図５における入出力端子４２ａ２）との間を接続する信号ケーブル６は、２００ｍ程度まで延長することができる。また、信号変換器３へ供給される電源電圧は、電源ケーブル７の抵抗により電圧降下が起こるが、この電圧降下は図２に示される電圧補償回路３７で補償されるので、電源ケーブル７も２００ｍ程度まで延長することができる。
【００３４】
また、冷凍コンテナ１における運転制御部２のＲＳ−２３２Ｃシリアルインターフェースからの信号ケーブルは、誘導雷による冷凍コンテナ１の運転制御部２の障害を防止するためにも、できるだけ短くする必要がある。しかし、本発明によれば、信号変換器３におけるフォトカプラ３３及びＤＣ−ＤＣコンバータ３８で信号及び電源を絶縁分離し、接続処理装置４でもフォトカプラ４２ｂ３及びＤＣ−ＤＣコンバータ４２ｂ１によって信号及び電源を絶縁分離し、信号変換器３において、ＲＳ−２３２Ｃ信号をＲＳ−４２２差動信号に変換していることによって、誘導雷による障害を防止し、長距離伝送を可能としているものである。
【００３５】
なお、冷凍コンテナ１と接続処理装置４との間が短く、運転制御部２からのＲＳ−２３２Ｃ信号を長距離伝送用のＲＳ−４２２信号に変換する必要がない場合は、運転制御部２のＲＳ−２３２Ｃシリアルインターフェースに、接続処理装置４を、信号変換器３を介在させずに接続することもできる。
【００３６】
ここで、冷凍コンテナ１（運転制御部２）とチャネルボード４２との通信が確立している場合、冷凍コンテナ１の装置情報、運転情報、異常情報は、運転制御部２から接続処理装置４（チャネルボード４２、バスボード４３及びメインボード４１）を経てデータ収集サーバ１００に伝送される。また、チャネルボード４２と運転制御部２との間の通信異常は、冷凍コンテナ１のパワーオフ及び接続系統の不良で発生し、メインボード４１からデータ収集サーバ１００へアラームとして伝送される。
【００３７】
また、運転制御部２は、内部動作に異常が発生した時にアラームコードを出力する。この場合、チャネルボード４２（４２１〜４２３）の各チャネルＣＰＵ４２ｄは、冷凍コンテナ１側からのアラームコードを、そのまま上位（データ収集サーバ１００）に通信し、冷凍コンテナ１のメーカーや機種により異なるアラームコードによる異常内容の対応表示を、上位で行う。
【００３８】
接続処理装置４のイーサネット（登録商標）インターフェース４１ｅから送信される監視データは、複数行からなり、第１行目は、監視データのデータタイプを示すカラムと、初期設定モードで設定された接続処理装置４の装置ＩＤを示すカラムと、接続状態や各冷凍コンテナ１の運転状態を示すカラムからなり、第２行目以降は、チャネル番号を示すカラムと、接続状態や各冷凍コンテナ１の運転状態を示すカラムと、当該冷凍コンテナ１の製造者のコード（メーカーコード）を示すカラムと、コンテナ名を示すカラムと、設定温度、吹出温度、吸込温度等を示すカラムと、異常が発生した場合にアラームデータが表示されるカラムからなる。
【００３９】
図３に示される表示パネル４４は、接続処理装置４のケーシングの正面扉に設けられており、各チャネルボード４２の各チャネルに対応したＬＥＤからなるモニタランプ４４ａ及びアラームランプ４４ｂと、７セグメントＬＥＤによる２桁の装置番号表示部４４ｃを有する。モニタランプ４４ａ及びアラームランプ４４ｂは、図１に示される各信号変換器３（３ｎ＋１，３ｎ＋２，３ｎ＋３，…）を介して各冷凍コンテナ１（１ｎ＋１，１ｎ＋２，１ｎ＋３，…）の運転制御部２（２ｎ＋１，２ｎ＋２，２ｎ＋３，…）との接続状態や通信状態、あるいはアラームデータに基づいて、図３に示されるメインＣＰＵ４１ａ及びＦＰＧＡ４１ｄを介して、点滅パターンや点灯と消灯の組み合わせ等により、接続された各冷凍コンテナ１の通信状態を視覚的に報知するものである。
【００４０】
図１に示されるデータ収集サーバ１００は、コンピュータによる情報処理装置であって、ユーザ毎の監視条件が設定されたデータベースを備え、監視側無線ＬＡＮ装置１０１及びコンテナ側無線ＬＡＮ装置５を介して各接続処理装置４への監視データ受信要求を行うことによって、監視データを取り込んでデータベースに系統的に蓄積し、ユーザからの要求に応じてデータの取り出しや更新を行うものである。
【００４１】
データ収集サーバ１００は、監視パソコン１０２からのアクセスがあると、不図示のホストから中継パソコン１０３を介して蓄積されたコンテナヤードの全コンテナ情報及び搬入・搬出情報等や、無線ＬＡＮ装置１０１を介して受信された監視データ等、データベースに蓄積された種々のデータから、要求に応じて所要のデータを所定形式の監視画像データとして送信する機能を有する。そして、コンテナヤードの冷凍コンテナ１は、通常、水平方向に複数台並べると共に上下に複数段積み重ねた十数台を１ブロックとして、複数ブロックが配置されるため、監視データは、例えば冷凍コンテナ毎、及びブロック毎の一覧形式で画像表示される。
【００４２】
また、このデータ収集サーバ１００は、接続処理装置４から異常発生のデータを受信した場合に、データベースによる監視条件の設定内容に従って、監視パソコン１０２に異常発生を通知すると共に、管理担当者が所持する携帯電話機１０６に、ルータ１０５及びインターネットＮを介してメール通知を行う送信機能を有する。なお、異常発生時にメール通知を行うことのできる携帯電話機１０６は、複数設定することができ、例えば発呼先の携帯電話機１０６の電源がＯＦＦになっていたり、携帯電話機１０６を所持する管理担当者が電波の届かないエリアにいたり、その他の何らかの理由によって、異常発生時のメール通知ができない場合に、他の携帯電話機１０６へメール通知を行うようにしている。
【００４３】
次に、上述の構成を備える本形態によるシステムの動作について説明する。
【００４４】
接続処理装置４は、電源が投入され、通常モードで通信可能になると、ポート番号５５０００（十進数）のＵＤＰで、８桁の文字列からなる接続処理装置４の固有識別データ及びポート番号による接続通知データを、初期設定モードで設定されたデータ収集サーバ１００の第一指定ＩＰアドレスへ、監視側無線ＬＡＮ装置１０１及びコンテナ側無線ＬＡＮ装置５を介して、例えば３秒間隔で送信する。そして、例えば６０回送信しても、その指定ＩＰからｈｔｔｐによる監視データ受信要求がない場合は、上位の異常と判定され、第二指定ＩＰアドレスへ送信し、監視データ受信要求を待つ。そして、同様に６０回送信しても監視データ受信要求がない場合は、再び送信先を第一指定ＩＰアドレスへ切り換える。このようにして、第一又は第二指定ＩＰアドレスのいずれかから受信要求があるまで、前記固有識別データ及びポート番号による接続通知データを送信し続ける。
【００４５】
また、第一又は第二指定ＩＰアドレスのいずれかからｈｔｔｐによる監視データ受信要求があると、接続処理装置４におけるメインボード４１のメインＣＰＵ４１ａは、通信経路が確立したものと判断して、固有識別データ及びポート番号による接続通知データの送信を中止し、各冷凍コンテナ１の運転制御部２からの運転状態信号に基づく監視データを、所定の時間間隔でデータ収集サーバ１００の指定ＩＰアドレスへ送信する。
【００４６】
冷凍コンテナ１の運転制御部２から出力される信号には、先に説明したように、コンテナ番号、各部の温度、冷凍機の駆動信号、適温信号、霜取り装置の駆動信号、異常発生時のアラームコード等がある。そして、これらの信号は、冷凍コンテナ１のメーカーや機種によっては通信方法が異なるものであるが、上述のように、接続処理装置４は、その各チャネルボード４２のＦＰＧＡ４２ｃに内蔵された、図４に示される各チャネルのシリアル通信回路によって、このような、メーカーや機種に対応する通信プロトコルで各冷凍コンテナ１と通信すると共に、共通の形式で上位と通信可能となっているため、データ収集サーバ１００は、メーカーや機種の異なる全ての冷凍コンテナ１の監視データを得ることができる。
【００４７】
そして、それぞれ信号変換器３を介して接続処理装置４に接続された多数の冷凍コンテナ１のうちいずれかで、通信異常、適温異常あるいはその他のアラームが発生した場合は、接続処理装置４が異常を判定することによるアラームデータ又は異常が発生した冷凍コンテナ１から接続処理装置４を介して送られたアラームコードを、コンテナ側無線ＬＡＮ装置５及び監視側無線ＬＡＮ装置１０１を介してデータ収集サーバ１００が受信することによって、そのデータをディスプレイ等に出力表示すると共に、ルータ１０５からインターネットＮを介して、管理担当者が所持する携帯電話機１０６を発呼し、発生した異常の種類及び該当する冷凍コンテナを特定するメール送信を行う。したがって、管理担当者は、異常の発生した冷凍コンテナへ直ちに赴き、迅速に対応することができる。
【００４８】
携帯電話機１０６へ通知されるメールの内容としては、異常発生日時、異常の発生した冷凍コンテナのアドレス、冷凍コンテナのメーカー名、異常の種類のほか、データ収集サーバ１００における当該システムのウエブページへのリンクが表示される。そして、異常発生のメールを受信した管理担当者は、この携帯電話機１０６のディスプレイ上で前記ウエブページをアクセスすることによって、データ収集サーバ１００へ、受信確認データが送信される。受信確認データを送信しない場合は、確認されるまで一定の時間間隔で発呼が行われる。
【００４９】
なお、例えば発呼先の携帯電話機１０６の電源がＯＦＦになっていたり、携帯電話機１０６を所持する管理担当者が電波の届かないエリアにいたり、その他の何らかの理由によって、異常発生時のメール通知ができない場合は、発呼後、所定の時間が経過した時点で、データ収集サーバ１００に登録されている他の携帯電話機１０６へメール通知を行うことができる。
【００５０】
【発明の効果】
請求項１の発明に係る運転監視システムによれば、電力線送受信手段が実装されていない監視対象機器や、メーカーあるいは機種の相違により通信方法の異なる多数の監視対象機器を、接続処理手段を介して常時遠隔監視・集中監視することができ、監視対象機器に異常が生じた場合は、直ちにユーザの通信端末装置へ発報されるので、巡回による監視を不要にすることができる。したがって、管理担当者の労力を著しく軽減して、省力化を図ることができると共に、異常発生時の迅速な対応が可能であり、管理の信頼性を著しく向上させることができる。
【００５１】
請求項２の発明に係る運転監視システムによれば、監視対象機器の運転制御部と接続処理手段との間が、運転制御部側との短距離伝送用信号と接続処理手段側との長距離伝送用信号とを相互に変換する信号変換手段を介して接続されるため、運転制御部から接続処理手段までの距離が比較的長くても通信が可能となる。
【００５２】
請求項３の発明に係る運転監視システムによれば、信号変換手段がアイソレーション手段を有するため、誘導雷等の外乱による影響を受けることなく、監視対象機器側と接続処理手段側との間の信号伝送距離を延長することができる。
【００５３】
請求項４の発明に係る運転監視システムによれば、接続処理手段がアイソレーション手段を有するため、誘導雷等の外乱による影響を受けることなく、集中監視手段との通信手段との間の信号伝送距離を延長することができる。
【００５４】
請求項５の発明に係る運転監視システムによれば、監視対象機器を、データ収集サーバ及び監視装置によって遠隔から集中監視可能であると共に、監視対象機器の異常発生時に、異常発生データが、データ収集サーバから監視装置及び通信端末装置へ送信されるため、異常の発生を確実に報知することができる。
【００５５】
請求項６の発明に係る運転監視システムによれば、冷凍コンテナの通信異常、庫内温度の適温外異常及び運転制御部の内部異常の有無を常時遠隔監視・集中管理するため、巡回による監視を不要にすることができ、異常が発生した場合は、直ちにユーザの通信端末装置へ発報されるので、庫内の生鮮食品等が傷まないように迅速な対応を行うことができる。
【図面の簡単な説明】
【図１】本発明に係る運転監視システムを、冷凍コンテナの監視に適用した好ましい実施の形態を概略的に示す説明図である。
【図２】図１における信号変換器３の概略構造を示す回路図である。
【図３】図１における接続処理装置４の概略構造を示すブロック図である。
【図４】図３における接続処理装置４の各チャネルボード４２に内蔵されたシリアル通信回路を示すブロック図である。
【図５】図３におけるチャネルボード４２の一部を示す回路図である。
【符号の説明】
１（１ｎ＋１，１ｎ＋２，１ｎ＋３，…）  冷凍コンテナ（監視対象機器）
２（２ｎ＋１，２ｎ＋２，２ｎ＋３，…）  運転制御部
３（３ｎ＋１，３ｎ＋２，３ｎ＋３，…）  信号変換器（信号変換手段）
３３，４２ｂ３  フォトカプラ（アイソレーション手段）
３８，４２ｂ１  ＤＣ−ＤＣコンバータ（アイソレーション手段）
４  接続処理装置（接続処理手段）
５  コンテナ側無線ＬＡＮ装置（通信手段）
１００  データ収集サーバ
１０１  監視側無線ＬＡＮ装置（通信手段）
１０２  監視パソコン（監視装置）
１０３  中継パソコン
１０６  携帯電話機（通信端末装置）
Ｎ  インターネット（通信網）
【図１】
2004297461.tif 000003
【図２】
2004297461.tif 000004
【図３】
2004297461.tif 000005
【図４】
2004297461.tif 000006
【図５】
2004297461.tif 000007